(57)【要約】【課題】歯ブラシに付着した手脂、汗、食物カス等の有機物、細菌、ウイルス等を分解し、水洗または布帛でのふき取り除去を容易にする、併せて防カビ性、防臭性等を持たせる。【解決手段】柄３０、ヘッド部２０、前記ヘッド部２０に植立した歯ブラシ毛１０の少なくとも一つに、粒径が数ｎｍ〜数μｍ程度の二酸化チタン粒子等の光触媒１１を数重量％〜２０重量％の割合で混入した構成。【選択図】　図１
2004041278.tif 000002
【特許請求の範囲】
【請求項１】
柄、ヘッド部、前記ヘッド部に植立した歯ブラシ毛の少なくとも一つに光触媒を配設したことを特徴とする歯ブラシ。
【請求項２】
柄、ヘッド部、前記ヘッド部に植立した歯ブラシ毛の少なくとも一つに，光触媒に分解されない多孔質部材で被覆した光触媒粒子を配設したことを特徴とする歯ブラシ。
【請求項３】
アパタイト、ゼオライト、セピオライトの内，少なくとも一つの吸着部材を併せて配設したことを特徴とする請求項１〜２のいずれかに記載の歯ブラシ。
【発明の詳細な説明】
【０００１】
【発明の属する技術分野】
本発明は光触媒を備えた歯磨き用歯ブラシに関する。
【０００２】
【従来の技術】
歯磨きに使われる歯ブラシは一般的に、手で握れるよう樹脂部材等を所望の形状に成形した柄（ハンドル）、該柄の長さ方向一端部に設けたヘッド部、該ヘッド部に植立した歯ブラシ毛とからなる。
炭の粉末と樹脂材を混合して作製した歯ブラシ毛によって、抗菌、脱臭などの機能を備えた歯ブラシとして特開２００１−１９７９４０号公報が提案されている。
【０００３】
【発明が解決しようとする課題】
しかし、前記特開２００１−１９７９４０号公報にはニコチン、歯垢（グルコン酸）、食物カス、細菌、ウイルス等を酸化、分解する機能を有していない。また、炭の粉末は黒色であり白色系・透光性の歯ブラシ毛など任意の色彩毛を作製しにくい面を有している。
【０００４】
本発明は歯ブラシや歯に付着した手脂、汗、食物カス等の有機物、細菌、ウイルス等を分解し、水洗または布帛でのふき取り除去を容易にすることを目的とする。即ち、歯ブラシに防カビ性・防臭性・殺菌性等を備えることを目的とする。
【０００５】
【課題を解決するための手段】
上記課題を解決するために本発明における歯ブラシは、柄、ヘッド部、前記ヘッド部に植立した歯ブラシ毛の少なくとも一つに二酸化チタン粒子（ＴｉＯ２）等からなる光触媒を備えた構成とした。なお、二酸化チタン粒子は人体に無害、中毒を起こさず発ガン性も無い。
【０００６】
前記歯ブラシに二酸化チタン粒子を固定する方法としては、各部の構成部材内に二酸化チタン粒子等の光触媒を混入させる構成とした。
二酸化チタンの粒子径は数ｎｍ〜数μｍ、混入量は数重量％〜２０重量％程度とした。
歯ブラシ毛は任意の樹脂部材部材としてよい。例えばナイロン、ポリプロピレン、ポリエステル、シリコン系、フッ素系等とした。
柄の構成部材についても任意で、例えば歯ブラシ毛と同一部材、またはアクリル系樹脂、ウレタン系樹脂、メラミン系樹脂、エポキシ系樹脂、シロキサン樹脂、塩化ビニール系樹脂、フェノール樹脂、ＡＢＳ樹脂、ＰＳ樹脂、スチレン系樹脂、ポリアミド樹脂等から選択したいずれか一つとした。
【０００７】
光触媒を歯ブラシに配設する手段は、歯ブラシ毛や柄を構成する樹脂部材内に光触媒を混入することの他に、気相コーティング法たとえばスパッタ、蒸着等のＰＶＤ（フィジカル・ベーパ・ディポジション）、またはＣＶＤ（ケミカル・ベーパ・ディポジション）、低温溶射など任意の手段を用いてよいことは言うまでもない。
光触媒としても任意の部材を用いてよい。例えば、二酸化チタン、または二酸化チタンと活性炭との混合物等からなる光触媒の微粉末粒子を用いればよい。
【０００８】
光触媒を歯ブラシの各部に配設することにより、歯ブラシに付着した汚れ、食物カス、細菌等を分解したり，付着した臭いを取る。即ち、太陽光や蛍光灯など３００ｎｍ〜４００ｎｍの近紫外線を受けた光触媒は活性化して有機物（アセトアルデヒドやアンモニア等）、窒素酸化物、塩素化合物、食物カス、細菌、ウイルス等を酸化し分解する。
【０００９】
なお、二酸化チタンはアナターゼ型のものが好ましいが、銅、銀、白金、その他の金属でメタライズされたルチル型二酸化チタンとしてもよい。さらに、二酸化チタンは、光触媒に不活性な（分解されない）多孔質膜たとえば多孔質シリカまたは多孔質アルミナ、セラミックスの多孔質アパタイト等で被覆した構成としてもよい。
また、ＷＯ２，Ｃｄｓ，ＣｄＳｅ，ＳｒＴｉＯ２，ＭｏＳ２のような半導体で光触媒を形成するようにしてもよい。
【００１０】
さらに、光触媒と吸着部材（セラミックスのアパタイト、ゼオライト、セピオライト、活性炭、絹繊維含有物等から選んだ一つ）とを併用して混入したり、光触媒粒子の一部を吸着部材で包み込む構成としてもよい。
【００１１】
上記のごとく本発明の歯ブラシは、光触媒を備えることにより付着した汗、手脂、食物カス等の有機物や悪臭成分、細菌・ウイルス等を分解し長期に亘り歯ブラシ表面を初期状態の清浄な状態に維持する。即ち、歯ブラシに防カビ性・防臭性・殺菌性等を付与できる。
【００１２】
【発明の実施の形態】
本発明における第１の発明は、柄、ヘッド部、前記ヘッド部に植立した歯ブラシ毛の少なくとも一つに光触媒を混入したことを特徴とする歯ブラシとしたもので、表面に付着した汚染物質や悪臭成分、細菌・ウイルス等を分解する。その結果、長期にわたり初期の清浄状態を維持できる。
【００１３】
本発明における第２の発明は、柄、ヘッド部、前記ヘッド部に植立した歯ブラシ毛の少なくとも一つに，光触媒活性を有しない多孔質部材で被覆した光触媒粒子を混入したことを特徴とする歯ブラシとしたもので、表面に付着した汚染物質や悪臭成分、細菌・ウイルス等を分解する。その結果、長期にわたり初期の清浄状態を維持できる。また、光触媒によって歯ブラシ毛や柄の樹脂部材を分解する恐れがない。
【００１４】
本発明における第３の発明は、アパタイト、ゼオライト、セピオライトの内，少なくとも一つの吸着部材を併せて混入したことを特徴とする第一の発明または第二の発明に記載の歯ブラシとしたもので、表面に付着した汚染物質や悪臭成分、細菌・ウイルス等を分解する。その結果、長期にわたり初期の清浄状態を維持できる。また、吸着部材によって細菌・ウイルスを効率よく捕捉し分解できる。
【００１５】
本発明における第４の発明は、歯ブラシの表面にＳｉＯ２等の光触媒に不活性な下地層を形成した後、重ねて光触媒を含んだ液状体を配設したことを特徴とする歯ブラシとしたもので、表面に付着した汚染物質や悪臭成分、細菌・ウイルス等を分解する。その結果、長期にわたり初期の清浄状態を維持できる。
【００１６】
本発明における第５の発明は、多孔質シリカまたは多孔質アルミナ等の無機物で被覆した二酸化チタン等の光触媒粒子を混入した液状体を歯ブラシの表面に塗布したことを特徴とする歯ブラシとしたもので、表面に付着した汚染物質や悪臭成分、細菌・ウイルス等を分解する。その結果、長期にわたり初期の清浄状態を維持できる。
【００１７】
【実施例】
以下、本発明の実施例について図面とともに説明する。
【００１８】
（実施例１）
図１は本発明の一実施例における歯ブラシの外観図を示す。図１において符号１００は歯ブラシ、１０は歯ブラシ毛、１１は二酸化チタン粒子等の光触媒、１２は樹脂部材、２０はヘッド部、３０は柄（ハンドル）を示す。
【００１９】
該歯ブラシ１００を二酸化チタン光触媒水分散液（光触媒粒子径１０ｎｍ〜数百ｎｍ，固形分３５％）４．０重量％、トリメチロールメラミン（固形分６０％）０．４９重量％、水９５．４６％の処理液に浸漬させ、ついで摂氏８０度以下の乾燥機内で５〜１０分間乾燥させ図１の歯ブラシを得た。その結果、歯ブラシ毛１０や柄３０、ヘッド部２０の各部表面に光触媒粒子が固定される。
（実施例２）
本発明の実施例２における歯ブラシは、歯ブラシ毛１０や柄３０、ヘッド部２０の各部を構成する樹脂部材内に、多孔質シリカまたは多孔質アルミナ、セラミックスのアパタイト等の無機物で被覆した二酸化チタン等の光触媒粒子１１を混入する構成とした。
前記二酸化チタン粒子１１の粒径は数ｎｍ〜数μｍ程度、混入量は数重量％〜２０重量％程度とした。
【００２０】
本発明における歯ブラシは上述のごとく、歯ブラシ１００の表面等に光触媒粒子を備えるる構成とした。その結果、歯ブラシ１００は付着した、汗、手脂、食物カス等の有機物、窒素酸化物、塩素化合物、細菌、ウイルス等を分解する。そして各部を清潔で清浄な初期状態を長期間にわたり維持できる。
【００２１】
なお、本発明は上記構成の他に任意の光触媒配設法を採用してよい。例えば、歯ブラシ表面に光触媒に対して不活性なＳｉＯ２下地層をまず形成した後、重ねて光触媒を含んだ液状体たとえばシリコン樹脂を数μｍ〜数十μｍの厚さに塗布する構成。または、不活性な多孔質シリカ等で被服した光触媒粒子を数重量％程度配合した液状体たとえばシリコン樹脂を塗布、乾燥して光触媒機能を備える構成等としてよい。
さらに、本発明は手磨き式の歯ブラシのみに限るものでなく、電動歯ブラシ、ヘッド部交換式歯ブラシ等にも有効であることも言うまでもない。
【００２２】
【発明の効果】
以上のように本発明の歯ブラシは、光触媒機能を備えることにより、歯ブラシに付着した汚染物質（汗や手脂、食物カス、細菌、ウイルス等）を分解する。その結果、歯ブラシは初期の表面状態すなわち清浄度、光沢等を長期にわたり維持できる。併せて防カビ性、防臭性等も備える。さらに、ニコチンや歯垢などの除去に有効である。
【図面の簡単な説明】
【図１】本発明の一実施例における歯ブラシの外観図
【符号の説明】
１０　歯ブラシ毛
１１　光触媒（二酸化チタン粒子等）
１２　樹脂部材
２０　ヘッド部
３０　柄（ハンドル）
１００　歯ブラシ
【図１】
2004041278.tif 000003